(57)【要約】【課題】ノズル面から拭き取った液体がワイパに残る可能性を低減し、ノズルからの液体の不吐出が発生する可能性を低減する印刷装置を提供する。【解決手段】プリンタは、ヘッド部、ワイパ３１、及び吸収部材５１を備えている。ワイパ３１は、左右方向に移動するヘッド部のノズル面に接触してインクを払拭する。吸収部材５１は、ワイパ３１に対して左右方向に移動し、ワイパ３１に付着したインクを払拭し、吸収する。吸収部材５１は、接触部２０３と面溝部２１１〜２１４とを備えている。接触部２０３は、ワイパ３１に接触する。面溝部２１１〜２１４は、前後方向に延び、ワイパ３１から離れる上方向に凹んだ溝部である。吸収部材５１は保湿溶液によって湿潤している。【選択図】図１２
2016083877.tif 000002
【特許請求の範囲】
【請求項１】
第一液体を吐出するノズルを有する面であるノズル面を備えるヘッドと、
前記ノズル面に対して相対移動し、前記ノズル面に接触するワイパと、
前記ワイパに対して相対移動し、前記ワイパに付着した前記第一液体を吸収する吸収部材と、
前記吸収部材における前記ワイパ側の面である吸収面側に設けられ、前記ワイパに接触する接触部と、
前記吸収面側に設けられ、前記ワイパにおける前記吸収部材側の端部が延びる方向である延伸方向に沿って延び、前記接触部より前記ワイパから離れる方向に凹んだ溝部である少なくとも１つの面溝部と
を備え、
前記吸収部材は第二液体によって湿潤することを特徴とする印刷装置。
【請求項２】
前記ヘッドの移動経路において前記ヘッドによる印刷が実行される領域である印刷領域と、
前記ヘッドの移動経路における前記印刷領域以外の領域である非印刷領域と
を備え、
前記ワイパ及び前記吸収部材は、前記非印刷領域に設けられていることを特徴とする請求項１に記載の印刷装置。
【請求項３】
前記吸収部材を支持する支持部と、
前記支持部を装着する装着部と
を備え、
前記支持部は、前記装着部に対して着脱可能であることを特徴とする請求項１又は２に記載の印刷装置。
【請求項４】
前記支持部に設けられ、前記支持部の端部から前記延伸方向に突出する係合突起と、
前記装着部に設けられ、前記係合突起と係合すると共に、前記延伸方向に形成される溝部である係合溝部と、
を備え、
前記係合溝部は、前記ヘッド部側に開口することを特徴とする請求項３に記載の印刷装置。
【請求項５】
前記吸収部材を水平方向に移動させる第一移動機構と、
前記ワイパを上下方向に移動させる第二移動機構と、
前記第一移動機構と前記第二移動機構とを駆動する駆動部と
を備えたことを特徴とする請求項１から４のいずれかに記載の印刷装置。
【請求項６】
前記駆動部を制御し、前記吸収部材を前記ワイパに対して前記水平方向における第一方向に移動させる第一移動制御手段と、
前記第一移動制御手段が前記吸収部材を前記ワイパに対して前記第一方向に移動させた後、前記吸収部材を前記ワイパに対して前記第一方向の反対方向である第二方向に移動させる第二移動制御手段と、
前記第二移動制御手段が前記吸収部材を前記ワイパに対して前記第二方向に移動させた後、前記吸収部材を前記第一方向に移動させる第三移動制御手段と
を備えたことを特徴とする請求項５に記載の印刷装置。
【請求項７】
前記面溝部における前記延伸方向側の端部は、前記吸収面における前記延伸方向側の端部より、前記吸収面の内側に位置することを特徴とする請求項１から６のいずれかに記載の印刷装置。
【請求項８】
前記第二液体は、保湿剤を含み、溶媒が水であることを特徴とする請求項１から７のいずれかに記載の印刷装置。
【発明の詳細な説明】
【技術分野】
【０００１】
本発明は、液体を吐出するノズルを備えた印刷装置に関する。
【背景技術】
【０００２】
従来、インク等の液体を吐出するノズルが形成されたノズル面から液体を除去するワイパと、ワイパに付着した液体を除去する除去部材とを備えた印刷装置が知られている。例えば、特許文献１に記載のインクジェット式記録装置は、キャリッジ、ワイピング部材、及びインク除去部材を備えている。キャリッジは、ノズル形成面を有する記録ヘッドを備えている。インク除去部材は、キャリッジに隣接して配置され、キャリッジの移動と共に移動する。ワイピング部材は、キャリッジの移動に伴い、記録ヘッドのノズル形成面に摺接し、ノズル形成面に付着したインクを除去する。さらにキャリッジが移動すると、ワイピング部材は、インク除去部材に接触する。インク除去部材は、ワイピング部材に付着したインクを除去する。ワイピング部材から除去されたインクはインク除去部材に付着して吸収される。
【先行技術文献】
【特許文献】
【０００３】
【特許文献１】特開２００１−１８００１３号公報
【発明の概要】
【発明が解決しようとする課題】
【０００４】
しかしながら、上記従来のインクジェット式記録装置においては、インク除去部材に付着したインクが乾燥して固化する場合がある。この場合、固化したインクによってインク除去部材の表面が目詰まりしてインクを吸収し難くなり、ワイパにインクが残る可能性があった。また、ワイパにインクが残った状態でノズル面を拭くと、ノズル面から拭き取ったインクが再びノズル面に付着したり、ノズルに入り込んだりして、インク不吐出の原因となるおそれがあった。
【０００５】
本発明の目的は、ノズル面から拭き取った液体がワイパに残る可能性を低減し、ノズルからの液体の不吐出が発生する可能性を低減する印刷装置を提供することである。
【課題を解決するための手段】
【０００６】
本発明に係る印刷装置は、第一液体を吐出するノズルを有する面であるノズル面を備えるヘッドと、前記ノズル面に対して相対移動し、前記ノズル面に接触するワイパと、前記ワイパに対して相対移動し、前記ワイパに付着した前記第一液体を吸収する吸収部材と、前記吸収部材における前記ワイパ側の面である吸収面側に設けられ、前記ワイパに接触する接触部と、前記吸収面側に設けられ、前記ワイパにおける前記吸収部材側の端部が延びる方向である延伸方向に沿って延び、前記接触部より前記ワイパから離れる方向に凹んだ溝部である少なくとも１つの面溝部とを備え、前記吸収部材は第二液体によって湿潤する。
【０００７】
この場合、吸収部材が第二液体によって湿潤しているので、吸収部材が第二液体によって湿潤せず、乾いている場合に比べて、吸収部材に付着した第一液体が固化しにくい。このため、吸収部材の表面で固化した第一液体によって吸収部材の表面が目詰まりし、第一液体を吸収し難くなる可能性を低減することができる。よって、ワイパに第一液体が残る可能性を低減できる。故に、ノズル面から拭き取った第一液体がワイパ３１に残り、残った第一液体が再びノズル面に付着して第一液体の不吐出が発生する可能性を低減できる。
【０００８】
また、接触部がワイパに接触するので、ワイパにおける吸収部材側の端部に付着した第一液体が、吸収部材によって除去される。また、面溝部が形成されていることによって、面溝部が形成されていない場合に比べて、接触部の端面の数が多くなる。よって、接触部の端面が、ワイパにおける相対移動する方向の面に接触する回数が多くなる。よって、面溝部が設けられていない場合に比べて、ワイパに第一液体が残る可能性を低減できる。よって、ノズル面から拭き取った第一液体がワイパ３１に残り、残った第一液体が再びノズル面に付着して第一液体の不吐出が発生する可能性を低減できる。
【図面の簡単な説明】
【０００９】
【図１】プリンタ１の斜視図である。
【図２】プリンタ１の平面図である。
【図３】ワイパ３１が離間位置にあり、吸収部材５１が第一位置にある、図３のＡ−Ａ線矢視方向断面図である。
【図４】ワイパ３１が第二接触位置にあり、吸収部材５１が第一位置にある断面図である。
【図５】支持部１４９及び吸収部材５１が取り外された、メンテナンス部１４１の平面図である。
【図６】ワイパ３１が第一接触位置にあり、ノズル面払拭動作が実行される状態を示す断面図である。
【図７】支持部１４９及び吸収部材５１が傾いた状態のメンテナンス部１４１の斜視図である。
【図８】支持部１４９が装着された、メンテナンス部１４１の平面図である。
【図９】プリンタ１の電気的構成を示すブロック図である。
【図１０】ワイパ払拭処理のフローチャートである。
【図１１】ワイパ３１が第二接触位置にあり、吸収部材５１が第二位置にある断面図である。
【図１２】ワイパ払拭処理において、吸収部材５１が第一位置から第二位置に移動する過程を示す状態遷移図である。
【図１３】ワイパ払拭処理において、吸収部材５１が第二位置から第一位置に移動する過程を示す状態遷移図である。
【図１４】吸収部材５１が交換される態様を示す状態遷移図である。
【図１５】図１４の続きの状態遷移図である。
【発明を実施するための形態】
【００１０】
本発明の実施の形態について、図面を参照して説明する。図１から図８を参照して、プリンタ１の構成について説明する。なお、図１の上方、下方、左下方、右上方、右下方、及び左上方が、各々、プリンタ１の上方、下方、前方、後方、右方、及び左方である。
【００１１】
図１に示すように、プリンタ１は、印刷媒体であるＴシャツ等の布帛（図示せず）に対して、液体のインクを吐出することで印刷を行うインクジェットプリンタである。プリンタ１は、紙等を印刷媒体としてもよい。本実施形態においては、プリンタ１は、互いに異なる５種のインク（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像の印刷を行うことができる。以下の説明では、５種のインクのうち、ホワイトのインクを白インクといい、ブラック、シアン、イエロー、及びマゼンタの４色のインクを総称する場合はカラーインクという。
【００１２】
プリンタ１は、筐体２、プラテン駆動機構６、一対のガイドレール（図示せず）、プラテン５、トレイ４、枠体１０、ガイドシャフト９、レール７、キャリッジ２０、ヘッドユニット１００，２００、駆動ベルト１０１、及び駆動モータ１９を備える。
【００１３】
筐体２は、左右方向を長手方向とする略直方体状である。筐体２の右側手前の位置には、プリンタ１の操作を行うための操作部（図示せず）が設けられている。操作部は、ディスプレイ４９（図９参照）及び操作ボタン５０１（図９参照）を備える。ディスプレイ４９は、各種情報を表示する。操作ボタン５０１は、作業者がプリンタ１の各種動作に関する指示を入力する際に操作される。
【００１４】
枠体１０は、平面視略長方形状の枠状であり、筐体２の上部に設置される。枠体１０は、前方側にガイドシャフト９を、後方側にレール７を夫々支持する。ガイドシャフト９は、枠体１０内側において左右方向に延びる軸状部を備える軸部材である。レール７は、ガイドシャフト９に対向して配置され、左右方向に延びる棒状部材である。
【００１５】
キャリッジ２０は、ガイドシャフト９に沿って左右方向に搬送可能に支持されている。図１及び図２に示すように、ヘッドユニット１００，２００は、前後方向に並べられてキャリッジ２０に搭載されている。ヘッドユニット１００は、ヘッドユニット２００よりも前方に位置する。図３に示すように、ヘッドユニット１００，２００の下部には、夫々、ヘッド部１１０が設けられている。ヘッド部１１０の底面には、夫々、水平方向と平行な平面状のノズル面１１１が形成されている。なお、図３には、ヘッドユニット１００のヘッド部１１０とノズル面１１１とを図示している。ノズル面１１１には、白インク及びカラーインクの何れかを下方へ向けて吐出可能な微細なノズルが複数設けられている。
【００１６】
図１に示すように、駆動ベルト１０１は、枠体１０の内側において、左右方向に沿って架け渡される帯状である。駆動ベルト１０１は、可撓性を有する樹脂製である。駆動モータ１９は、枠体１０内側の前方右側に設けられる。駆動モータ１９は、正逆回転可能であり、駆動ベルト１０１を介して、キャリッジ２０と連結されている。駆動モータ１９が駆動ベルト１０１を駆動することにより、ガイドシャフト９に沿ってキャリッジ２０が左右方向に往復移動される。これによって、ヘッドユニット１００，２００は左右方向に往復移動され、ヘッドユニット１００，２００の下側においてヘッドユニット１００，２００に対向して配置されたプラテン５に向けてインクを吐出する。これによって、プラテン５に支持された印刷媒体への印刷が行われる。
【００１７】
プラテン駆動機構６は、一対のガイドレール（図示せず）及びプラテン支持台（図示せず）を備える。一対のガイドレールは、プラテン駆動機構６の内側を前後方向に延び、プラテン支持台を前後方向に移動可能に支持する。プラテン支持台は、上部においてプラテン５を支持する。プラテン５は、印刷媒体を支持する。
【００１８】
プラテン５の下方には、トレイ４が設けられている。トレイ４は、作業者がＴシャツ等をプラテン５に載置する際に、Ｔシャツのそで等を受けることで、当該そで等が筐体２内部の他の部品に接触しないように保護する。
【００１９】
プラテン駆動機構６は、後述する副走査駆動部４６（図９参照）によって駆動され、プラテン支持台及びプラテン５を、一対のガイドレールに沿って筐体２の前後方向に移動する。プラテン５が、印刷媒体を前後方向（副走査方向）に搬送し、左右方向に往復移動するヘッド部１１０からインクが吐出されることで、プリンタ１による印刷媒体への印刷が行われる。
【００２０】
図１及び図２に示すように、本実施形態では、枠体１０の内側にキャリッジ２０が配置される。このため、枠体１０の内側の左端部と右端部との間をヘッド部１１０（図１０参照）が左右方向に移動する。ヘッド部１１０の移動経路において、ヘッド部１１０による印刷が実行される領域を印刷領域１３０という。ヘッド部１１０の移動経路における印刷領域以外の領域を非印刷領域１４０という。非印刷領域１４０は、プリンタ１の左部の領域である。印刷領域１３０は、非印刷領域１４０の右側から、プリンタ１の右端部までの領域である。印刷領域１３０には、プラテン５及びトレイ４等が設けられている。
【００２１】
本実施形態では、非印刷領域１４０において、印刷品質を確保するための種々のメンテナンス動作が実行される。メンテナンス動作は、例えば、フラッシング動作、インクパージ動作、ノズル面払拭動作、及びワイパ払拭動作などである。フラッシング動作は、印刷媒体への印刷を実行する前に、後述するフラッシング受部１４５（図２参照）上に、ヘッド部１１０からインクを吐出する動作である。フラッシング動作が行われることで、印刷が開始された直後においても、インクがヘッド部１１０から適切に吐出される。インクパージ動作は、ノズル面１１１が後述するノズルキャップ１４４（図２参照）によってキャップされた状態で、ノズルキャップ１４４に接続された吸引器（図示せず）によって、ノズルからインクが引き出される動作である。インクパージ動作が実行されることによって、例えば、ノズルの内側に入った気泡がインクとともに排出され、気泡によって吐出不良が発生する可能性を低減できる。
【００２２】
ノズル面払拭動作は、後述するワイパ３１によって、ノズル面１１１の表面に残った余分なインクを払拭する動作である（図６参照）。ノズル面払拭動作が実行されることによって、ノズル面１１１に残ったインクが固着してノズル面１１１からインクを吐出し難くなる可能性を低減できる。ワイパ払拭動作は、後述する吸収部材５１（図３参照）によって、ワイパ３１に付着したインクを払拭する動作である（図１２及び図１３参照）。ノズル面１１１から拭き取ったインクがワイパ３１に付着していても、ワイパ払拭動作が実行されることによって、次回のノズル面払拭動作を実行するときに、ワイパ３１からノズル面１１１にインクが付着する可能性を低減できる。
【００２３】
図２に示すように、非印刷領域１４０は、メンテナンス部１４１，１４２を備えている。メンテナンス部１４１，１４２は、夫々、ヘッドユニット１００，２００の移動経路の下方に位置する。プリンタ１のＣＰＵ４０（図９参照）の制御によって、メンテナンス部１４１，１４２において、ヘッドユニット１００，２００に対してのメンテナンス動作が実行される。メンテナンス部１４１，１４２の構成は互いに同じである。よって、以下の説明では、メンテナンス部１４１について説明する。
【００２４】
図２及び図３に示すように、メンテナンス部１４１は、ワイパ３１、ノズルキャップ１４４、フラッシング受部１４５、吸収部材５１（図３参照）、及び支持部１４９を備えている。ノズルキャップ１４４は、メンテナンス部１４１の左部に設けられている。ノズルキャップ１４４は、平面視矩形状、且つ、上方に開口するキャップである。ノズルキャップ１４４は、上下方向に移動可能である。ヘッドユニット１００がノズルキャップ１４４の上方に移動している状態において、ノズルキャップ１４４は上方に移動し、ノズル面１１１を覆う。この状態で、ヘッドユニット１００に対してのインクパージ動作が実行される。ノズルキャップ１４４に溜まったインクは、図示しない排出経路を介してタンク（図示せず）に排出される。
【００２５】
図３に示すように、フラッシング受部１４５は、メンテナンス部１４１の右部、且つ後述する移動部６３の壁部７４（図３参照）の上方に位置する。フラッシング受部１４５は、容器部１４６と吸収体１４７とを備えている。容器部１４６は、平面視矩形状、且つ上方に開口する容器である。吸収体１４７は、容器部１４６に内側に配置され、インクを吸収可能な直方体状の部材である。フラッシング受部１４５は、フラッシング動作によってヘッドユニット１００から吐出されたインクを受ける。インクは、吸収体１４７に吸収される。
【００２６】
図２及び図３に示すように、ワイパ３１は、フラッシング受部１４５の左方に設けられている。ワイパ３１は上下動可能である。ワイパ３１が最も上方に移動した状態で、キャリッジ２０が左右方向に移動することで、ワイパ３１がノズル面１１１に摺接し、ノズル面１１１からインクが除去される（図６参照）。すなわち、ノズル面払拭動作が実行される。
【００２７】
支持部１４９は、左右方向において、ワイパ３１とノズルキャップ１４４との間に設けられている。支持部１４９は、吸収部材５１を支持する。支持部１４９と吸収部材５１との詳細については後述する。
【００２８】
ワイパ３１を支持し、上下方向に移動させる構成について説明する。図３〜図５に示すように、非印刷領域１４０には、ワイパ３１、ワイパ支持部３２、第二バネ支持部６１（図３参照）、案内壁部８０１，８０２（図５参照）、及びワイパ駆動機構５８が設けられている。図３に示すように、ワイパ３１は、上下方向においてノズル面１１１の下方に設けられている。ワイパ３１は、前後方向に延びる。ワイパ３１の上端は、ノズル面１１１と平行である。ワイパ支持部３２は、ワイパ３１の下側に設けられ、ワイパ３１を支持する。ワイパ支持部３２は、左側から見た場合に前後方向に長い矩形状、且つ左右方向の所定の幅を有する（図５参照）。図３及び図４に示すように、ワイパ支持部３２は、その上面から下方に凹んだ凹部１３１を備えている。ワイパ３１の下部は凹部１３１の内側に配置される。
【００２９】
図４及び図５に示すように、ワイパ支持部３２の前後方向の端部の下端には、係合部３３１，３３２が設けられている。係合部３３１，３３２は、上方に凹んだ凹部を有し、後述する傾斜部６４１，６４２が凹部の内側に配置される。係合部３３１，３３２は、傾斜部６４１，６４２に対して移動可能に、傾斜部６４１，６４２と係合する。
【００３０】
図４に示すように、ワイパ支持部３２の下端には、前後方向に離間して配置された一対の第一バネ支持部３８が設けられている。一対の第一バネ支持部３８は、前後方向外側に延びる鉤状である。第一バネ支持部３８は、１つの巻バネ６０の両端部であるバネ端部６２を支持する。バネ端部６２は、リング状に形成されており、鉤状の第一バネ支持部３８に引っ掛けられている。なお、図４には、一対の第一バネ支持部３８のうち後側の第一バネ支持部３８と、該第一バネ支持部３８に引っ掛けられる後側のバネ端部６２を示している。
【００３１】
図４及び図５に示すように、第二バネ支持部６１は、上下方向においてワイパ支持部３２の下側、且つ、左右方向において一対の第一バネ支持部３８の間に位置する。第二バネ支持部６１は、第二バネ支持部６１を右端部を支持する壁部７９に支持され、左下方に延び、その先端がさらに下方に折れ曲がった金属板である。図４に示すように、一対の第一バネ支持部３８に両端部が支持された巻バネ６０は下方に引き伸ばされ、巻バネ６０の中央部６０３が第二バネ支持部６１の底面に引っ掛けられる。これによって、巻バネ６０は、中央部６０３が第一方向に凹んだ、左側面視Ｖ字状になる。巻バネ６０は、一対の第一バネ支持部３８及び第二バネ支持部６１に支持され、復元力によってワイパ支持部３２を下側に付勢することで、ワイパ３１を下側に付勢する。ワイパ支持部３２は移動部６３の左右方向の移動に伴い、案内壁部８０１，８０２（図５参照）に沿って上下動する。
【００３２】
図５に示すように、案内壁部８０１，８０２は、夫々、上下方向に延び、且つ平面視でワイパ支持部３２の前後の端部の周囲に沿って形成されている。案内壁部８０１は、ワイパ支持部３２の前端部を左右方向に挟んで対向する一対の壁面を備えている。案内壁部８０２は、ワイパ支持部３２の後端部を左右方向に挟んで対応する一対の壁面を備えている。このため、案内壁部８０１，８０２は、ワイパ支持部３２の左右方向の移動を制限することができる。案内壁部８０１，８０２は、ワイパ３１とワイパ支持部３２との第一接触位置（図６参照）、第二接触位置（図４及び図１１参照）、及び離間位置（図３参照）相互間の上下動を案内する。
【００３３】
図６に示すように、第一接触位置は、ワイパ３１がノズル面１１１に接触可能な、ワイパ３１とワイパ支持部３２との位置である。第一接触位置では、ワイパ支持部３２は、傾斜部６４１，６４２（後述）の上端部に係合している。図４及び図１１に示すように、第二接触位置は、ワイパ３１が吸収部材５１に接触可能な、ワイパ３１とワイパ支持部３２との位置である。第二接触位置では、ワイパ支持部３２は、傾斜部６４１，６４２（後述）の上下方向中央部よりやや下側の部位と係合している。図３に示すように、離間位置は、ワイパ３１がノズル面１１１及び吸収部材５１から離間する、ワイパ３１とワイパ支持部３２との位置である。離間位置では、ワイパ支持部３２は、傾斜部６４１，６４２（後述）の下端部に係合している。
【００３４】
ワイパ駆動機構５８について説明する。ワイパ駆動機構５８は、ワイパ３１とワイパ支持部３２とを上下方向に移動させる機構である。図４に示すように、ワイパ駆動機構５８は、移動部６３と回転部材７８とを含む。
【００３５】
図４及び図５に示すように、移動部６３は、対向壁部６５１，６５２と壁部７４とを備えている。一対の対向壁部６５１，６５２は、互いに前後方向に対向し、側面視で略三角形状である。対向壁部６５１，６５２は、夫々、傾斜部６４１，６４２を備えている。
【００３６】
一対の傾斜部６４１，６４２は、互いに前後方向に対向する。一対の傾斜部６４１，６４２は、対向壁部６５１，６５２の上部を形成し、左斜め下方に延びる部位である。傾斜部６４１，６４２は、移動部６３の左右方向への移動に伴い、ワイパ３１とワイパ支持部３２とを上下方向に移動させる。
【００３７】
傾斜部６４１，６４２における下端部の間には、延伸部７１が架け渡されている。延伸部７１は、水平方向と平行な板状である。図４に示すように、壁部７４は、平面視矩形状の壁部である。壁部７４の前後方向の両端部の左部は、対向壁部６５１，６５２の後端部の下部に接続されている。壁部７４の右部には、長孔７５が設けられている。長孔７５は、平面視で、後述する長孔８５４（図５参照）と同様の形状を有しており、上下方向に壁部７４を貫通し、前後方向に延びる。
【００３８】
移動部６３は、回転部材７８の回転に連動して左右方向に移動する。回転部材７８は、壁部７４の第一方向側に位置している。回転部材７８は、後述する第二駆動部９５（図９参照）の駆動によって回転する。回転部材７８は、回転壁部７８１、駆動軸７８２、及び軸部７８３を備えている。回転壁部７８１は、壁部７４の下側において壁部７４に対向する壁部である。回転壁部７８１は、平面視円形状である。駆動軸７８２は、上下方向に延び、その上端が回転壁部７８１の底面の中心に接続されている。駆動軸７８２は、後述する第二駆動部９５（図９参照）に接続されている。
【００３９】
軸部７８３は、上下方向に延び、その下端が回転壁部７８１の上面の外周部に接続されている。軸部７８３は、駆動軸７８２の回転中心より外側に位置する。軸部７８３は、後述する長孔８５４（図５参照）に挿通された軸部９３３（図５参照）と同様に、長孔７５に挿通されている。
【００４０】
吸収部材５１を支持し、左右方向に移動させる構成について説明する。以下の説明では、ワイパ３１における吸収部材５１側の上端部が延びる前後方向を、延伸方向という場合がある。なお、図７に示す支持部１４９及び吸収部材５１は、図４に示す支持部１４９及び吸収部材５１の姿勢（支持部１４９が水平方向と平行な姿勢。以下、装着姿勢という。）から、正面視時計回り方向に回転して傾いた状態である。しかし、図７を参照して支持部１４９及び吸収部材５１の説明をする時の左方向及び右方向は、支持部１４９及び吸収部材５１が装着姿勢（図４及び図１２参照）にあるときの方向で述べる。
【００４１】
図４に示すように、非印刷領域１４０には、吸収部材５１、支持部１４９、及び吸収駆動機構５９が設けられている。図７及び図８に示すように、支持部１４９は、上壁部１５０、側壁１５１，１５２、係合突起１６１，１６２、及び凸部１７１，１７２を備えている。上壁部１５０は、水平方向に延びる平面視略矩形状の板状である。上壁部１５０の左端には、右方向に円弧状に凹む凹部１８１が設けられている。側壁１５１，１５２は、夫々、上壁部１５０の前後方向の端部から下方に延びる。側壁１５１，１５２は、上壁部１５０の左端のやや右側から、後端に亘って設けられている。
【００４２】
図８に示すように、係合突起１６１，１６２は、支持部１４９の前後方向の端部、より詳細には、側壁１５１，１５２の右端部から、夫々延伸方向に延びる突起である。係合突起１６１，１６２は、夫々、後述する係合溝部９２１，９２２に対して着脱可能である（図１４（Ａ）〜（Ｃ）及び図１５（Ｄ）参照）。図１５の拡大斜視図Ｗ３に示すように、係合突起１６２は、夫々、平面１６３，１６４、円弧面１６５，１６６、及び突出部１６７を備えている。図示しないが、係合突起１６１は、係合突起１６１と同様に、平面１６３，１６４、円弧面１６５，１６６を備えている。係合突起１６２が側壁１５２から延伸方向に突出する長さは、係合突起１６１が側壁１５１から延伸方向に突出する長さより短い（図８参照）。また、係合突起１６１は、突出部１６７を備えていない（図８参照）。なお、図１５の拡大斜視図Ｗ３においては、係合突起１６１，１６２のうち、係合突起１６２のみが図示されており、支持部１４９は上方を向いた状態である。
【００４３】
係合突起１６１，１６２の平面１６３，１６４は、夫々、支持部１４９の側壁１５１，１５２に接続された面であり、後述する吸収面２０２と平行である。円弧面１６５，１６６は、夫々、支持部１４９の側壁１５１，１５２に接続された面であり、平面１６３と平面１６４との端部を接続する面である。係合突起１６１，１６２の円弧面１６５，１６６は、夫々、後述する係合溝部９２１，９２２に沿う円弧状である。支持部１４９が上方を向いた状態において、平面１６３、平面１６４、円弧面１６５、及び円弧面１６６は、夫々、係合突起１６１，１６２の左面、右面、上面、及び下面を形成する。平面１６３と平面１６４との間の幅は、係合溝部９２１，９２２の開口９２３の左右方向の幅より短い。円弧面１６５と円弧面１６６との間の幅は、係合溝部９２１，９２２の開口９２３の左右方向の幅より長く、且つ、係合溝部９２１，９２２の直径より僅かに短い。
【００４４】
係合突起１６２の突出部１６７は、係合突起１６２の延伸方向側の端部から、円弧面１６５から円弧面１６６に向かう方向に突出する。支持部１４９が、装着部８５に装着された場合には、係合突起１６２の突出部１６７が、装着部８５の側壁８６２に側面に接触する（図１４参照）。
【００４５】
図７、図８、及び図１４（Ａ）に示すように、凸部１７１，１７２は、側壁１５１，１５２の左端部から、夫々延伸方向に突起している。凸部１７１，１７２の夫々の先端は、丸みを帯びている。支持部１４９が、装着部８５に着脱される態様については後述する。
【００４６】
図７に示すように、吸収部材５１は支持部１４９の上壁部１５０の底面に貼り付けられる。吸収部材５１は、平面視矩形状であり、側壁１５１，１５２の間に位置する。吸収部材５１は、例えば、スポンジ又はフェルトなど、液体を吸収可能な材料で形成されており、ワイパ３１に付着したインクを吸収する。また、吸収部材５１は、保湿溶液９８によって湿潤している（図１５（Ｅ）参照）。保湿溶液９８は、保湿剤９６を含み、その溶媒が水９７である（図１５（Ｅ）参照）。
【００４７】
吸収部材５１におけるワイパ３１側である下側の面を吸収面２０２という。吸収面２０２は、接触部２０３と複数の面溝部２１１〜２１４とを備えている。接触部２０３は、吸収面２０２側に設けられ、ワイパ３１に接触する部位である。接触部２０３は、吸収面２０２側の部位のうち、面溝部２１１〜２１４が形成されている部位以外の部位である。
【００４８】
面溝部２１１〜２１４は、夫々、延伸方向に沿って延び、接触部２０３より、ワイパ３１から離れる方向である上方向に凹んだ溝部である。なお、本実施形態では、面溝部２１１〜２１４は、上方向に凹み、吸収部材５１を上方に貫通しているが、上方向に凹んでいればよく、貫通しなくてもよい。
【００４９】
図１２（Ａ）に示すように、面溝部２１１は、吸収部材５１の右端部に設けられている。面溝部２１２は、面溝部２１１の左方に設けられている。面溝部２１３は、面溝部２１２の左方に設けられている。面溝部２１４は、面溝部２１３の左方、且つ、吸収部材５１に左端部に設けられている。即ち、面溝部２１１〜２１４は、左右方向に互いに離間して設けられている。以下の説明では、接触部２０３のうち、面溝部２１１より右側の部位を第一部位２２１といい、面溝部２１１と面溝部２１２との間の部位を第二部位２２２という。接触部２０３のうち、面溝部２１２と面溝部２１３との間の部位を第三部位２２３といい、面溝部２１３と面溝部２１４との間の部位を第四部位２２４という。
【００５０】
図５及び図７に示すように、吸収駆動機構５９は装着部８５と回転部材９３とを含む。吸収駆動機構５９の駆動によって支持部１４９及び吸収部材５１が水平方向のうち左右方向に移動する。装着部８５は、支持部１４９が装着される部材である。装着部８５は、第一壁部８５１、第二壁部８５２、第三壁部８５３、及び側壁８６１，８６２を備えている。
【００５１】
第一壁部８５１は、平面視で前後方向に長い矩形状であり、装着部８５の左端部を形成する壁部である。第一壁部８５１は、長孔８５４を備えている。長孔８５４は第一壁部８５１を上下方向に貫通し、前後方向に延びる。長孔８５４には、後述する軸部９３３が挿通される。
【００５２】
第一壁部８５１の右端部には、上方に延びる第二壁部８５２が接続されている。第一壁部８５１と第二壁部８５２との接続部には、前後方向に長い孔部８５５が設けられている。
第二壁部８５２の上端は、第三壁部８５３に接続されている。第三壁部８５３は、平面視で前後方向に長い矩形状である。側壁８６１，８６２は、第三壁部８５３の前後方向の端部から上方に延び、且つ、第三壁部８５３より右方に延びる。
【００５３】
図５及び図８に示すように、側壁８６１，８６２の右端部には、夫々、係合溝部９２１，９２２が設けられている。係合溝部９２１，９２２は、側壁８６１，８６２を延伸方向に貫通している。係合溝部９２１，９２２の開口９２３は、ヘッド部１１０側である上側に開口している。より詳細には、図１５（Ｄ）に示すように、係合溝部９２１，９２２は、側面視円形状であり、その上端が上方に開口した開口９２３である。図８に示すように、支持部１４９が装着部８５に装着された場合、係合突起１６１，１６２が、夫々、係合溝部９２１，９２２内に配置される。なお、係合溝部９２１，９２２は、係合突起１６１，１６２を配置可能に延伸方向に形成されればよく、側壁８６１，８６２を貫通しなくてもよい。
【００５４】
図５、図７、及び図８に示すように、側壁８６１，８６２の左端部には、夫々、切欠部８９１，８９２が設けられている。切欠部８９１，８９２は、夫々、側壁８６１，８６２の上面の前後方向内側の部位が、斜め下方に切り欠かれた部位である。側壁８６１，８６２における切欠部８９１，８９２の下方には、側壁８６１，８６２を延伸方向に貫通する孔部９０１，９０２が設けられている。支持部１４９が装着部８５に装着された場合、凸部１７１，１７２が、夫々孔部９０１，９０２の内側に配置された状態となり、支持部１４９の上下方向への移動を制限する。装着部８５に支持部１４９を着脱する態様については、後述する。
【００５５】
装着部８５は、回転部材９３の回転に連動して左右方向に移動する。図４及び図５に示すように、回転部材９３は、装着部８５の第一壁部８５１、第二壁部８５２、及び第三壁部８５３の下側に位置している。回転部材９３は、回転壁部９３１、駆動軸９３２（図４参照）、及び軸部９３３を備えている。回転壁部９３１は、平面視で略円形状の壁部である。駆動軸９３２は、上下方向に延び、その上端が回転壁部９３１の底面の中心部に接続されている。駆動軸９３２は、モータ、ギア等を含む第二駆動部９５（図９参照）に接続されており、第二駆動部９５の駆動に伴って回転し、回転壁部９３１を回転させる。
【００５６】
軸部９３３は、上下方向に延び、その下端が回転壁部９３１の上面の外周部に接続されている。軸部９３３は、駆動軸９３２の回転中心より外側に位置し、長孔８５４に挿通されている。吸収駆動機構５９が支持部１４９及び吸収部材５１を移動させる態様については、後述する。
【００５７】
図９を参照して、プリンタ１の電気的構成について説明する。プリンタ１は、プリンタ１を制御するＣＰＵ４０を備える。ＣＰＵ４０には、ＲＯＭ４１、ＲＡＭ４２、ヘッド駆動部４３、主走査駆動部４５、副走査駆動部４６、第一駆動部９４、第二駆動部９５、表示制御部４８、及び操作処理部５０がバス５５を介して電気的に接続されている。
【００５８】
ＲＯＭ４１には、ＣＰＵ４０がプリンタ１の動作を制御するための制御プログラム及び初期値等が記憶されている。ＲＡＭ４２には、制御プログラムで用いられる各種データが一時的に記憶される。ヘッド駆動部４３はインクを吐出するヘッド部１１０に電気的に接続されており、ヘッド部１１０（図３参照）の各吐出チャンネルに設けられた圧電素子を駆動し、ノズルからインクを吐出させる。
【００５９】
主走査駆動部４５は、駆動モータ１９（図１参照）を含み、キャリッジ２０を左右方向（主走査方向）に移動させる。副走査駆動部４６は、図示しないモータ及びギア等を含み、プラテン駆動機構６（図１参照）を駆動して、プラテン５（図１参照）を前後方向（副走査方向）に移動させる。
【００６０】
第一駆動部９４は、図示しない第一駆動モータ及びギア等を含み、吸収駆動機構５９を駆動する。吸収駆動機構５９は、第一駆動部９４の駆動に伴い、支持部１４９及び吸収部材５１を左右方向に移動させる。第二駆動部９５は、図示しない第二駆動モータ及びギア等を含み、ワイパ駆動機構５８を駆動する。ワイパ駆動機構５８は、第二駆動部９５の駆動に伴い、ワイパ３１及びワイパ支持部３２を上下方向に移動させる。表示制御部４８は、ディスプレイ４９の表示を制御する。操作処理部５０は、操作ボタン５０１に対する操作入力をＣＰＵ４０に出力する。
【００６１】
ワイパ払拭動作について説明する。図６に示すように、ノズル面払拭動作によってノズル面１１１からインクが除去されると、インクがワイパ３１に付着する。なお、ノズル面払拭動作は、ワイパ３１とワイパ支持部３２とが第一接触位置に移動され、ヘッド部１１０が左右方向に移動されることによって行われる。ワイパ払拭動作は、ノズル面払拭動作が実行された後に実行され、吸収部材５１によってワイパ３１からインクを払拭する。ワイパ払拭動作は、ＣＰＵ４０がＲＯＭ４１に記憶された制御プログラム読み出し、ワイパ払拭処理（図１０参照）を実行してプリンタ１を制御することによって行われる。
【００６２】
図３に示すように、ワイパ３１が離間位置にあるとする。このとき、軸部７８３及び移動部６３は、最も右側に位置する。以下の説明では、水平方向における一方向である右方向を第一方向という場合がある。また、第一方向の反対方向である左方向を第二方向という場合がある。
【００６３】
ＣＰＵ４０は、第二駆動部９５（図９参照）を駆動し、ワイパ３１を離間位置（図３参照）から第二接触位置（図４参照）に移動させる（Ｓ１）。より詳細には、図３に示すように、第二駆動部９５が、駆動されることによって、駆動軸７８２を介して回転壁部７８１が回転し、駆動軸７８２を中心にして軸部７８３が回転移動する。軸部７８３は長孔７５内を摺動しつつ、壁部７４を左方向に押す。これによって、図４に示すように、移動部６３が左方向に移動し、傾斜部６４１，６４２が左方向に移動する。ワイパ支持部３２は、案内壁部８０１，８０２（図８参照）によって左右方向への移動が制限されている。このため、傾斜部６４１，６４２の移動に伴い、ワイパ支持部３２は、案内壁部８０１，８０２によって案内されつつ、巻バネ６０の付勢力に抗して傾斜部６４１，６４２に沿って上方向に移動する。そして、ＣＰＵ４０が第二駆動部９５の駆動を停止すると、ワイパ３１及びワイパ支持部３２は、第二接触位置（図４参照）で停止する。
【００６４】
次いで、ＣＰＵ４０は、第一駆動部９４（図９参照）を駆動し、吸収部材５１をワイパ３１に対して第一方向に移動させる（Ｓ２）。より詳細には、図４に示すように、第一駆動部９４が駆動されることによって、駆動軸９３２を介して回転壁部９３１が回転し、駆動軸９３２を中心にして軸部９３３が回転移動する。軸部９３３は長孔８５４内を摺動しつつ、第一壁部８５１を右方向に押す。これによって、装着部８５、支持部１４９、及び吸収部材５１が第一位置（図４参照）から第二位置（図１１参照）に向けて第一方向に移動する。なお、第一位置は、装着部８５、支持部１４９、及び吸収部材５１の左右方向における移動範囲の左端の位置であり、第二位置は右端の位置である。図１１に示すように、装着部８５、支持部１４９、及び吸収部材５１が第二位置にある場合、ワイパ３１の上端部は、面溝部２１３内に位置する。
【００６５】
図１２に示すように、吸収部材５１が第一方向に移動する過程で、ワイパ３１の左面３１１の上端部が、第一部位２２１の右端面２２１Ａに当接する（図１２（Ａ）参照）。次いで、ワイパ３１が反りつつ、左面３１１の上端部が第一部位２２１の底面に摺接する（図１２（Ｂ）参照）。ワイパ３１が面溝部２１１内に入ると、反っていたワイパ３１（図１２（Ｂ）参照）が上方向に延びる。左面３１１の上端部が、第二部位２２２の右端面２２２Ａに当接する（図１２（Ｃ）参照）。
【００６６】
次いで、ワイパ３１が反りつつ、左面３１１の上端部が第二部位２２２の底面に摺接する（図１２（Ｄ）参照）。ワイパ３１が面溝部２１２内に入ると、反っていたワイパ３１（図１２（Ｄ）参照）が上方向に延びる。左面３１１が第三部位２２３の右端面２２３Ａに当接する（図１２（Ｅ）参照）。次いで、ワイパ３１が反りつつ、左面３１１の上端部が第三部位２２３の底面に摺接する（図１２（Ｆ）参照）。ワイパ３１が面溝部２１３内に入ると、反っていたワイパ３１（図１２（Ｆ）参照）が上方向に延びる（図１１参照）。ＣＰＵ４０が第一駆動部９４の駆動を停止すると、第二位置（図１１参照）において、装着部８５、支持部１４９、及び吸収部材５１が停止する。
【００６７】
次いで、ＣＰＵ４０は、第一駆動部９４（図９参照）を駆動し、吸収部材５１をワイパ３１に対して第二方向に移動させる（Ｓ３）。より詳細には、図１１に示すように、第一駆動部９４が駆動されることによって、駆動軸９３２を介して回転壁部９３１が回転し、駆動軸９３２を中心にして軸部９３３が回転移動する。軸部９３３は長孔８５４内を摺動しつつ、第一壁部８５１を左方向に押す。これによって、装着部８５、支持部１４９、及び吸収部材５１が第二位置（図１１参照）から第一位置（図４参照）に向けて第二方向に移動する。
【００６８】
図１３に示すように、吸収部材５１が移動する過程で、ワイパ３１の右面３１２の上端部が、第三部位２２３の左端面２２３Ｂに当接する（図１３（Ａ）参照）。次いで、ワイパ３１が反りつつ、右面３１２の上端部が第三部位２２３の底面に摺接する（図１３（Ｂ）参照）。ワイパ３１が面溝部２１２内に入ると、反っていたワイパ３１（図１３（Ｂ）参照）が上方向に延びる。右面３１２の上端部が、第二部位２２２の左端面２２２Ｂに当接する（図１３（Ｃ）参照）。
【００６９】
次いで、ワイパ３１が反りつつ、右面３１２の上端部が第二部位２２２の底面に摺接する（図１３（Ｄ）参照）。ワイパ３１が面溝部２１１内に入ると、反っていたワイパ３１（図１３（Ｄ）参照）が上方向に延びる。右面３１２の上端部が第一部位２２１の左端面２２１Ｂに当接する（図１３（Ｅ）参照）。次いで、ワイパ３１が反りつつ、右面３１２の上端部が第一部位２２１の底面に摺接する（図１３（Ｆ）参照）。第一部位２２１がワイパ３１の左方に移動すると、反っていたワイパ３１（図１３（Ｆ）参照）が上方向に延びる。ＣＰＵ４０が第一駆動部９４の駆動を停止すると、第一位置（図４参照）において、装着部８５、支持部１４９、及び吸収部材５１が停止する。
【００７０】
次いで、ＣＰＵ４０は、第一駆動部９４（図９参照）を駆動し、吸収部材５１をワイパ３１に対して第一方向に移動させる（Ｓ４）。これによって、装着部８５、支持部１４９、及び吸収部材５１が、第一位置（図４参照）から第二位置（図１１参照）に向けて第一方向に移動する（図１２（Ａ）〜（Ｆ）参照）。Ｓ４の処理は、Ｓ２と同じであるので、詳細の説明は省略する。
【００７１】
次いで、ＣＰＵ４０は、第二駆動部９５（図９参照）を駆動し、ワイパ３１及びワイパ支持部３２を第二接触位置（図１１参照）から離間位置（図３参照）に移動させる（Ｓ５）。より詳細には、図４に示すように、第二駆動部９５が駆動されることによって、駆動軸７８２を介して回転壁部７８１が回転し、駆動軸７８２を中心にして軸部７８３が回転移動する。軸部７８３は長孔７５内を摺動しつつ、壁部７４を右方向に押す。これによって、図３に示すように、移動部６３が右方向に移動し、傾斜部６４１，６４２が右方向に移動する。ワイパ支持部３２は、案内壁部８０１，８０２（図８参照）によって左右方向への移動が制限されている。このため、傾斜部６４１，６４２の移動に伴い、ワイパ支持部３２は、案内壁部８０１，８０２によって案内されつつ、巻バネ６０の付勢力によって傾斜部６４１，６４２に沿って下方向に移動する。そして、ＣＰＵ４０が第二駆動部９５の駆動を停止すると、ワイパ３１及びワイパ支持部３２は、離間位置（図４参照）で停止する。なお、図４では図示しないが、このとき、装着部８５、支持部１４９、及び吸収部材５１は、第二位置（図１１参照）に位置する。
【００７２】
次いで、ＣＰＵ４０は、第一駆動部９４（図９参照）を駆動し、吸収部材５１を第一方向に移動させる（Ｓ６）。これによって、吸収部材５１及び装着部８５が第二位置（図１１参照）から第一位置（図４参照）に移動する。なお、ワイパ３１は離間位置（図４参照）に移動しているので、ワイパ３１は、吸収部材５１に接触しない。次いで、ＣＰＵ４０はワイパ払拭処理を終了する。
【００７３】
以上のように、ワイパ払拭動作が実行される。ワイパ払拭動作が複数回実行され、吸収部材５１がインクで汚れたり、劣化したりした場合、作業者は、吸収部材５１を新たな吸収部材５１に交換する。吸収部材５１を交換する方法について説明する。図１４（Ａ）に示すように、支持部１４９及び吸収部材５１が、装着姿勢にあるとする。係合突起１６１，１６２の円弧面１６５と円弧面１６６（図１５（Ｄ）参照）との間の幅は、係合溝部９２１，９２２の開口９２３の左右方向の幅より長いので、支持部１４９及び吸収部材５１が装着姿勢にある場合、係合突起１６１，１６２は係合溝部９２１，９２２から抜けない。
【００７４】
凹部１８１に作業者の指が引っ掛けられ、上方に引っ張られると、凸部１７１，１７２と孔部９０１，９０２との係合が解除される（図１４（Ｂ）参照）。係合溝部９２１，９２２内に配置された係合突起１６１，１６２を軸として支持部１４９が正面視時計回りに回転し、図１４（Ｃ）に示すように、支持部１４９が上方向に向いた状態になる。なお、支持部１４９が回転する時、係合突起１６１，１６２の円弧面１６５，１６６が係合溝部９２１，９２２の内面に沿って摺動する。
【００７５】
図１４（Ｃ）に示すように、支持部１４９が上方を向いた状態で、作業者が支持部１４９を上方に引っ張る。係合突起１６１，１６２の平面１６３と平面１６４との間の幅は、係合溝部９２１，９２２の開口９２３の左右方向の幅より短い。このため、図１５（Ｄ）に示すように、係合溝部９２１，９２２の開口９２３を介して、係合突起１６１，１６２が係合溝部９２１，９２２から引き離され、支持部１４９が装着部８５から取り外される。
【００７６】
作業者は、支持部１４９から吸収部材５１を取り外し、新たな吸収部材５１（図１５（Ｅ）参照）を支持部１４９に装着する。なお、支持部１４９と吸収部材５１との両方を、新たに用意してもよい。図１５（Ｅ）に示すように、保湿溶液９８が吸収部材５１に供給され、吸収部材５１によって吸収される。保湿溶液９８は、例えば、生産工場において保湿剤９６と水９７とが混合されることで生成され、出荷される。
【００７７】
新たな吸収部材５１が装着された支持部１４９（図１５（Ｅ）参照）が、図１４（Ａ）〜図１５（Ｄ）とは逆の順序で、装着部８５に装着される。すなわち、支持部１４９が上方を向いた状態で、係合突起１６１，１６２が係合溝部９２１，９２２に配置される。係合突起１６１，１６２を軸として、支持部１４９が正面視反時計回りに回転する。凸部１７１，１７２が切欠部８９１，８９２を滑りながら通過し、孔部９０１，９０２と係合する。これによって、支持部１４９及び吸収部材５１が装着部８５に配置される（図１４（Ａ）参照）。
【００７８】
以上のように、本実施形態のプリンタ１が構成される。ワイパ払拭動作（図１２及び図１３参照）が実行されると、インクがワイパ３１から吸収部材５１に付着する。本実施形態では、吸収部材５１が保湿溶液９８によって湿潤している。このため、吸収部材５１が保湿溶液９８によって湿潤せず、乾いている場合に比べて、吸収部材５１に付着したインクが固化しにくい。よって、吸収部材５１の表面で固化したインクによって吸収部材５１の表面が目詰まりし、インクを吸収し難くなる可能性を低減することができる。このため、ワイパ払拭動作が実行されたときに、ワイパ３１にインクが残る可能性を低減できる。よって、ノズル面払拭動作（図６参照）によってノズル面１１１から拭き取ったインクがワイパ３１に残り、残ったインクが、次回のノズル面払拭動作時に再びノズル面１１１に付着して、ノズル面１１１からのインクの不吐出が発生する可能性を低減できる。また、吸収部材５１の表面でインクが固化し難いので、吸収部材５１が湿潤しない場合に比べて、新たな吸収部材５１に交換する頻度を少なくすることができる。
【００７９】
また、図１２及び図１３に示すように、接触部２０３がワイパ３１に接触するので、ワイパ３１における吸収部材５１側の上端部に付着したインクが、吸収部材５１によって除去される。また、面溝部２１１〜２１４が形成されていることによって、面溝部２１１〜２１４が形成されていない場合に比べて、接触部２０３の左右方向の端面の数が多くなる。よって、接触部２０３の端面が、ワイパ３１における左右方向の面に接触する回数が多くなる。本実施形態では、図１２（Ａ）、図１２（Ｃ）、及び図１２（Ｅ）に示すように、吸収部材５１が第一位置から第二位置に移動する間に、ワイパ３１の左面３１１の上端が、接触部２０３の右端面２２１Ａ，２２２Ａ，２２３Ａに接触している。すなわち、ワイパ３１の左面３１１の上端が、接触部２０３の端面に３回接触している。また、図１３（Ａ）、図１３（Ｃ）、及び図１３（Ｅ）に示すように、吸収部材５１が第二位置から第一位置に移動する間に、ワイパ３１の右面３１２の上端が、接触部２０３の左端面２２１Ｂ，２２２Ｂ，２２３Ｂに接触している。すなわち、ワイパ３１の右面３１２の上端が、接触部２０３の端面に３回接触している。よって、面溝部２１１〜２１４が設けられていない場合に比べて、ワイパ３１の上端の先端及び側面にインクが残る可能性を低減できる。故に、ノズル面払拭動作（図６参照）によってノズル面１１１から拭き取ったインクがワイパ３１に残り、残ったインクが、次回のノズル面払拭動作時に再びノズル面１１１に付着して、ノズル面１１１からのインクの不吐出が発生する可能性を低減できる。
【００８０】
また、ワイパ３１は、接触部２０３の底面に接触している状態（図１２（Ｂ）、図１２（Ｄ）、図１２（Ｆ）、図１３（Ｂ）、及び図１３（Ｄ）参照）から、面溝部２１１〜２１４内に入った状態（図１２（Ｃ）、図１２（Ｅ）、図１１、図１３（Ｃ）、及び図１３（Ｅ）参照）に複数回変化する。この過程で、ワイパ３１の反りが解消され、ワイパ３１が上方に延びる。ワイパ３１が反った状態からワイパ３１が延びた状態に変化する動きによって、ワイパ３１に付着したインクが飛び散り、非印刷領域１４０に落下する。よって、インクが飛び散らない場合に比べて、吸収部材５１に吸収されるインクの量が少なくなり、吸収部材５１を交換する頻度を少なくすることができる。
【００８１】
従来のインクジェット式記録装置では、インク除去部材がキャリッジの移動と共に移動する。このため、インク除去部材がキャリッジと共に印刷領域に移動する。このとき、キャリッジの移動に伴う振動によって、インク除去部材に付着したインクが飛び散り、飛び散ったインクが、印刷領域に配置された印刷媒体上に落下する可能性があった。
【００８２】
本実施形態では、ワイパ３１及び吸収部材５１が、ヘッド部１１０とは別に設けられているので、ヘッド部１１０が振動しても、ワイパ３１及び吸収部材５１に付着したインクが飛び散り難い。さらに、ワイパ３１及び吸収部材５１が非印刷領域１４０に設けられているので、ワイパ３１及び吸収部材５１に付着したインクが、印刷領域１３０に配置される印刷媒体上に落下する可能性を低減できる。また、吸収部材５１を湿潤している保湿溶液９８が、印刷領域１３０に配置される印刷媒体上に落下する可能性を低減できる。
【００８３】
また、吸収部材５１を支持する支持部１４９が、装着部８５に対して着脱可能であるので、支持部１４９が装着部８５に対して着脱できない場合に比べて、容易に吸収部材５１を交換することができる。
【００８４】
また、図１４及び図１５に示すように、本実施形態では、係合溝部９２１，９２２において係合突起１６１，１６２を軸として支持部１４９を回転させる。そして、係合溝部９２１，９２２の開口９２３を介して係合突起１６１，１６２を係合溝部９２１，９２２から引き離すことによって、支持部１４９を装着部８５から取り外すことができる。また、係合溝部９２１，９２２の開口９２３から係合突起１６１，１６２を係合溝部９２１，９２２に配置して、係合突起１６１，１６２を軸として支持部１４９を回転させることによって、支持部１４９を装着部８５に装着することができる。よって、例えば、孔に挿通させて係合突起１６１，１６２が係合する場合に比べて、支持部１４９を装着部８５に容易に着脱することができる。よって、吸収部材５１を交換する作業が容易になる。
【００８５】
また、ワイパ３１は上下方向に移動し（図３、図４、及び図６参照）、吸収部材５１は水平方向のうちの左右方向に移動する（図１２及び図１３参照）。すなわち、ワイパ３１及び吸収部材５１の移動方向は、夫々、一方向及びその反対方向のみである。このため、例えば、ワイパ３１を水平方向と上下方向との両方に移動させる機構を設け、吸収部材５１に接触させる構成にする場合に比べて、簡易な構成で、ワイパ３１からインクを除去する構成を実現できる。また、簡易な構成でインクを除去する構成を実現できるので、スペースの限られた非印刷領域１４０において、吸収部材５１を交換するための作業スペースを確保し易い。よって、容易に吸収部材５１を交換することができる。
【００８６】
図１０に示すＳ２〜Ｓ４の処理によって、ワイパ３１における吸収部材５１側の上端部に付着したインクが吸収部材５１によって除去される。また、Ｓ２において、吸収部材５１がワイパ３１に対して第一方向に移動されると、ワイパ３１の左面３１１の上端部に付着したインクが、吸収部材５１によって除去される（図１２参照）。Ｓ３において、吸収部材５１をワイパ３１に対して第二方向に移動させると、ワイパ３１の右面３１２の上端部に付着したインクが、吸収部材５１によって除去される。このとき、ワイパ３１に付着したインクの一部が吸収部材５１によって押され、ワイパ３１の左面３１１の上端部に移動する可能性がある。しかし、Ｓ４において、再度、吸収部材５１がワイパ３１に対して第一方向に移動するので、ワイパ３１の左面３１１の上端部に移動したインクが、吸収部材５１によって除去される。よって、より確実にワイパ３１からインクを除去することができる。
【００８７】
特に、ノズル面払拭動作では、ワイパ３１の左面３１１の上端部が、ノズル面１１１に摺接する（図６参照）。このため、吸収部材５１によってより確実にインクが除去された左面３１１でノズル面１１１からインクを除去できる。よって、ノズル面１１１からより確実にインクを除去できる。故に、インクがノズル面１１１に残って、ノズル面１１１からのインクの不吐出が発生する可能性を低減できる。
【００８８】
また、図７に示すように、面溝部２１１〜２１４の延伸方向の端部２３１，２３２は、吸収面２０２の延伸方向の端部２４１，２４２より、吸収面２０２の内側に位置する。すなわち、面溝部２１１〜２１４が吸収面２０２の内側に位置する。このため、例えば、吸収面２０２の内側をプレス等によって凹ませたり、貫通させたりして面溝部２１１〜２１４を形成することで、吸収部材５１を作成できる。よって、例えば、板状の部材に接触部２０３を複数取り付けて吸収部材５１を作成する場合に比べて、容易に吸収部材５１を作成することができる。
【００８９】
図１５（Ｅ）に示すように、保湿溶液９８には、保湿剤９６が含まれる。このため、保湿溶液９８に保湿剤９６が含まれない場合に比べて、吸収部材５１が乾き難くなる。よって、保湿溶液９８を吸収部材５１に供給する作業の頻度を少なくすることができる。
【００９０】
また、保湿溶液９８は、溶媒が水９７である。このため、水９７以外の特別な液体を使用する場合に比べて、保湿溶液９８を安価に製造できる。
【００９１】
上記実施形態において、プリンタ１は本発明の「印刷装置」の一例である。インクは本発明の「第一液体」の一例である。保湿溶液９８は本発明の「第二液体」の一例である。吸収駆動機構５９は本発明の「第一移動機構」の一例である。ワイパ駆動機構５８は本発明の「第二移動機構」の一例である。第一駆動部９４及び第二駆動部９５は本発明の「駆動部」の一例である。Ｓ２（図１０参照）の処理を行うＣＰＵ４０は本発明の「第一移動制御手段」の一例である。Ｓ３（図１０参照）の処理を行うＣＰＵ４０は本発明の「第二移動制御手段」の一例である。Ｓ４（図１０参照）の処理を行うＣＰＵ４０は本発明の「第三移動制御手段」の一例である。
【００９２】
なお、本発明は上記の実施形態に限定されるものではなく、種々の変更が可能である。例えば、保湿溶液９８の溶媒が水であった。しかし、溶媒は、例えば、グリセリン及びアルコール等のグリコール類など、他の液体でもよい。また、保湿溶液９８は保湿剤９６を含んでいたが、含まなくてもよい。吸収部材５１を保湿する液体は、水のみであってもよい。吸収部材５１を保湿する液体は、水以外の他の液体のみであってもよい。
【００９３】
また、図７に示すように、面溝部２１１〜２１４の延伸方向の端部２３１，２３２は、吸収面２０２の延伸方向の端部２４１，２４２より、吸収面２０２の内側に位置していた。しかし、面溝部２１１〜２１４は、吸収面２０２を前後方向に貫通してもよい。また、Ｓ２〜Ｓ４（図１０参照）において、吸収部材５１が第一位置と第二位置との間を１往復半していたが、これに限定されず、例えば、Ｓ２のみが実行されてもよい。また、Ｓ２とＳ３とのみが実行されてもよい。
【００９４】
また、吸収部材５１が左右方向に移動してワイパ払拭動作が実行されていたが、これに限定されない。吸収部材５１がワイパ３１に対して相対移動すればよく、例えば、吸収部材５１に対してワイパ３１が左右方向に移動して、ワイパ払拭動作が実行されてもよい。また、ヘッド部１１０が左右方向に移動して、ノズル面払拭動作が実行されていたが、これに限定されない。ワイパ３１がノズル面１１１に対して相対移動すればよく、例えば、ノズル面１１１に対してワイパ３１が左右方向に移動して、ノズル面払拭動作が実行されてもよい。また、支持部１４９が装着部８５に装着された場合、凸部１７１，１７２が、夫々孔部９０１，９０２の内側に配置され、係合されていたが、これに限定されない。例えば、支持部１４９にフックを設け、該フックが装着部８５に係合するようにしてもよい。
【００９５】
また、係合突起１６１，１６２の形状は限定されず、例えば、円柱状であってもよい。また、係合溝部９２１，９２２に設けられた開口９２３を介して、係合突起１６１，１６２が、係合溝部９２１，９２２に着脱され、支持部１４９が装着部８５に配置されていたが、これに限定されない。例えば、開口を有しない孔を側壁１５１，１５２に設け、該孔に挿通されて係合突起１６１，１６２が係合されることで、支持部１４９が装着部８５に配置されてもよい。また、係合突起１６１，１６２及び係合溝部９２１，９２２が夫々一対設けれていたが、例えば、係合突起１６１，１６２の一方と、対応する係合溝部９２１，９２２の一方とが設けられていてもよい。支持部１４９が装着部８５に対して着脱可能であったが、着脱できなくてもよい。ワイパ３１及び吸収部材５１が、非印刷領域１４０に設けられていたが、印刷領域１３０に設けられていてもよい。また、ノズル面１１１から吐出される液体は、インクに限定されず、例えば、布帛が染められた色を脱色する抜染材であってもよい。
【符号の説明】
【００９６】
１    プリンタ
３１    ワイパ
４０    ＣＰＵ
５１    吸収部材
５８    ワイパ駆動機構
５９    吸収駆動機構
６３    移動部
７８    回転部材
８５    装着部
９３    回転部材
９４    第一駆動部
９５    第二駆動部
９６    保湿剤
９７    水
９８    保湿溶液
１１０    ヘッド部
１１１    ノズル面
１３０    印刷領域
１４０    非印刷領域
１４９    支持部
１６１，１６２    係合突起
２０２    吸収面
２０３    接触部
２１１，２１２，２１３，２１４    面溝部
９２１，９２２    係合溝部
【図１】
2016083877.tif 000003
【図２】
2016083877.tif 000004
【図３】
2016083877.tif 000005
【図４】
2016083877.tif 000006
【図５】
2016083877.tif 000007
【図６】
2016083877.tif 000008
【図７】
2016083877.tif 000009
【図８】
2016083877.tif 000010
【図９】
2016083877.tif 000011
【図１０】
2016083877.tif 000012
【図１１】
2016083877.tif 000013
【図１２】
2016083877.tif 000014
【図１３】
2016083877.tif 000015
【図１４】
2016083877.tif 000016
【図１５】
2016083877.tif 000017